(57)【要約】【課題】現在再生している時刻を起点とし、シーンスキップのための目盛りの値を起点からの距離に応じて加速度的に大きくすることにより、現在の再生付近では細かい時刻の指定が可能であり、離れたシーンへのスキップでは素早くそのシーンへ移動させることができるコンテンツ再生装置を提供する。【解決手段】時間軸上のマークの位置を原点とし、原点から、コンテンツの再生開始時刻に相当する時間軸上の位置又はコンテンツの再生終了時刻に相当する時間軸上の位置までを範囲とする指数関数を表す曲線と、時間軸とに挟まれる領域の第１の面積を算出し、さらに、原点から時間軸の目盛りの位置までを範囲とする指数関数を表す曲線と時間軸とに挟まれる領域の第２の面積を算出し、第１の面積と第２の面積との比率に応じて時間軸の目盛りの値を算出し、算出された目盛りの値を付した時間軸を含む再生バーを表示手段２０５に表示させる演算手段２０４を備える。【選択図】図２
2009017486.tif 000002
【特許請求の範囲】
【請求項１】
コンテンツを再生して表示手段に表示するとともに、前記コンテンツの総再生時間を示す、前記表示手段に表示された時間軸上を前記コンテンツの再生時間の経過に伴って移動するマークであって、前記表示手段に表示されている前記コンテンツのシーンが再生される時刻が前記コンテンツの総再生時間のうちのどの時刻に相当するかを示す前記マーク及び前記時間軸を含む再生バーを前記表示手段に表示させるコンテンツ再生装置において、
前記時間軸に所定の間隔で表示される目盛りに値を付して前記時間軸を含む前記再生バーを表示する場合に、前記時間軸上の前記マークの位置を原点とし、前記原点から、前記コンテンツの再生開始時刻に相当する前記時間軸上の位置又は前記コンテンツの再生終了時刻に相当する前記時間軸上の位置までを範囲とする指数関数を表す曲線と、前記時間軸とに挟まれる領域の面積である第１の面積を算出し、さらに、前記原点から前記時間軸の目盛りの位置までを範囲とする前記指数関数を表す曲線と前記時間軸とに挟まれる領域の面積である第２の面積を算出し、前記第１の面積と前記第２の面積との比率に応じて前記時間軸の目盛りの値を算出し、算出された前記目盛りの値を付した前記時間軸を含む前記再生バーを前記表示手段に表示させる演算手段を備えることを特徴とするコンテンツ再生装置。
【請求項２】
コンテンツを再生して表示手段に表示するとともに、前記コンテンツの総再生時間を示す、前記表示手段に表示された時間軸上を前記コンテンツの再生時間の経過に伴って移動するマークであって、前記表示手段に表示されている前記コンテンツのシーンが再生される時刻が前記コンテンツの総再生時間のうちのどの時刻に相当するかを示す前記マーク及び前記時間軸を含む再生バーを前記表示手段に表示させるコンテンツ再生装置において、
前記時間軸に所定の時間間隔で表示される目盛りを配置して前記時間軸を含む前記再生バーを表示する場合に、前記時間軸上の前記マークの位置を原点とし、前記原点から、前記コンテンツの再生開始時刻に相当する前記時間軸上の位置又は前記コンテンツの再生終了時刻に相当する前記時間軸上の位置までを範囲とする指数関数を表す曲線と、前記時間軸とに挟まれる領域の面積を算出し、算出された前記面積と、前記原点における再生時刻から前記コンテンツの再生開始時刻又は前記コンテンツの再生終了時刻までの時間差に対する、前記原点における再生時刻から所定の時刻までの時間差の割合とに基づいて、前記所定の時刻における目盛りを前記時間軸上に配置し、前記目盛りが配置された前記時間軸を含む前記再生バーを前記表示手段に表示させる演算手段を備えることを特徴とするコンテンツ再生装置。
【請求項３】
前記演算手段は、前記マークを前記再生バーの中央に配置することを特徴とする請求項１又は２に記載のコンテンツ再生装置。
【発明の詳細な説明】
【技術分野】
【０００１】
本発明は、再生されるコンテンツに対して行われるユーザの所望シーンへのスキップ処理に基づいて該当するシーンを再生するコンテンツ再生装置に関する。
【背景技術】
【０００２】
映像や音声などのコンテンツを扱うことが可能な機器としてパソコンやＤＶＤプレーヤなどがあり、これらの機器は、リモコンやマウスなどの入力デバイスを利用することによって、タイムシークによる所望のシーンのスキップ再生が可能となっている。これらの機器で扱うコンテンツは、ランダムアクセスが可能な光ディスクやハードディスクなどの記憶装置に保存されており、所望するデータへの物理的アクセス速度が従来のテープメディアに比べて格段に向上している。
【０００３】
ここで、所望するシーンへのスキップを素早く行うには、まずユーザが入力デバイスを用いて所望する時間（所望のシーンが再生される時間）を指定する必要がある。このユーザの動作量を減らすことにより、所望する時間の指定までの時間を短くすることができる。一般に、再生バーの時間軸上に振り分けられた複数の目盛りは、コンテンツの総再生時間が一定時間の等間隔になるように割り振られている。また、現在の再生時間（現在の再生位置）を示すために再生バーの時間軸上の適切な位置にアイコン（後述するマークに相当する）が表示される。図６に従来のコンテンツ再生装置により表示される再生バーを示す。
【０００４】
図６において、アイコン６０１は、コンテンツの総再生時間に対して現在再生されている時間（再生されている位置）を表すアイコンである。コンテンツの再生に応じてアイコン６０１も移動していく。時間軸６０２は、コンテンツの総再生時間を示すものである。目盛り６０３は、現在再生しているコンテンツの総再生時間を等間隔に割り振ったものである。目盛り６０３は、決められた時間ごとに割り振られるか、又は決められた目盛りの数によって等間隔に割り振られる。再生バーを用いてタイムシークによるスキップ再生を行う際、ユーザはアイコン６０１を時間軸６０２上の所望の時間に相当する位置に移動させる。アイコン６０１を移動させる方法はいろいろあるが、パソコンなどのようにマウスが付属するものについては、マウスでドラッグ＆ドロップを行ってアイコン６０１を移動させる。また、ＡＶ機器などのようにリモコンを利用する場合については、ユーザが所定のボタンなどを長押しするなどによってアイコン６０１を移動させる。
【０００５】
なお、リモコンを利用する場合、アイコン６０１の移動速度が遅く感じるユーザもいる。そこで、ボタンを長押しすることにより、所望のシーンを指し示すアイコン（カーソル）の移動を加速度的に増加させ、シーンスキップの命令までの時間を短時間で可能とする一般的な方法もある。また、下記の特許文献１には、リモコンでシークボタンを押下するたびに、再生バーの時間軸を均等に割り振った目盛り上をアイコンが移動する技術が開示されている。また、割り振られた目盛りの数は、別のボタンを押下することにより変更できるため、遠くの再生位置にシーンスキップを行いたい場合には、目盛りの数を少なくすることで、少ない操作量でシーンスキップを行うことができる。また、目盛りごとに移動するスキップであるため、長押しせずとも数回のボタンの押下で遠くのシーンへスキップすることができる。
【特許文献１】特開２００５−１０１９９４号公報（要約）
【発明の開示】
【発明が解決しようとする課題】
【０００６】
しかしながら、コンテンツの総再生時間を目盛りによって等間隔に割り振った一般的な方法において、ＰＣなどで広く利用されているマウスを使った場合、ドラッグ＆ドロップによってアイコンを大雑把に移動させることは可能であるが、所望するシーンへの細かい微調整は困難である。例えば、再生時間が２時間近くあるコンテンツにおいて、数秒後のシーンにスキップを行いたい場合、マウスによるアイコンのドラッグ＆ドロップでは、わずかな移動であっても数十秒ものシーンがスキップされるという問題があり、所望のシーンへのスキップを行うことができないという問題がある。
【０００７】
また、リモコンを使った場合には、現在の再生時間と所望するシーンの時間とが離れるほど、所望する時間に相当する位置にアイコンを移動させるための時間が比例して増えてしまう。その対策として、リモコンのボタンを長押しすることによって加速度的にアイコンを移動させる方法があるが、リモコンの長押し中、突然そのアイコンの移動が加速し、所望するシーンを大きく越えてしまう可能性がある。また、総再生時間が長いコンテンツで、目盛りの幅が時間的に等間隔で割り振られた再生バーの場合、現在再生しているシーンからわずか数秒前後のシークを行うことができないことがある。これは、再生バーの長さが限られた長さであり、現在の再生時間に相当する位置を表すアイコンを少し動かすだけで、数十秒以上ものシーンがスキップされてしまう可能性があるためである。
【０００８】
次に、リモコンでシークボタンを押下するたびに、再生バーを均等に割り振った目盛り上をアイコンが移動することを可能とし、また、別のボタンを押下することにより、割り振られた目盛りの数を変更可能とする方法では、目盛りが設定されている箇所のみの移動となるため、細かい時間のスキップを行うことができない。なお、細かい目盛りを割り振ることにより対処可能となるが、所望するコンテンツのシーンスキップを実現するにはボタンを何度も押下する必要があり、素早く所望の時間を指定することができない。このように従来の方法では、素早く所望するシーンへのスキップを行うことができないという問題があった。
【０００９】
一般に、所望するシーンが何時間何分何秒の再生時間であるかを知っていることは少ない。大抵、現在見ているシーンから大体何分前、又は何秒前という具合に、相対的にシーンスキップを行うことが多い。そのため、現在視聴しているシーンに近いほど、細かい秒数までおおよその見当が付くが、現在の再生時間から遠く離れた時間のシーンへのスキップは、何秒というよりむしろ何分又は何時間といったスキップが行われることが多い。すなわち、現在の再生時間に近いシーンスキップについては、細かい時間を指定することが多く、遠いシーンスキップに関しては、大雑把な時間を指定することが多い。
【００１０】
本発明は、上記課題を解決するためのものであり、現在再生している時刻を起点とし、シーンスキップのための目盛りの値を起点からの距離に応じて加速度的に大きくすることにより、現在再生している付近では、細かい時刻の指定が可能であり、離れたシーンへのスキップにおいては、素早くそのシーンへ移動させることができるコンテンツ再生装置を提供することを目的とする。
【課題を解決するための手段】
【００１１】
上記目的を達成するために、本発明によれば、コンテンツを再生して表示手段に表示するとともに、前記コンテンツの総再生時間を示す、前記表示手段に表示された時間軸上を前記コンテンツの再生時間の経過に伴って移動するマークであって、前記表示手段に表示されている前記コンテンツのシーンが再生される時刻が前記コンテンツの総再生時間のうちのどの時刻に相当するかを示す前記マーク及び前記時間軸を含む再生バーを前記表示手段に表示させるコンテンツ再生装置において、前記時間軸に所定の間隔で表示される目盛りに値を付して前記時間軸を含む前記再生バーを表示する場合に、前記時間軸上の前記マークの位置を原点とし、前記原点から、前記コンテンツの再生開始時刻に相当する前記時間軸上の位置又は前記コンテンツの再生終了時刻に相当する前記時間軸上の位置までを範囲とする指数関数を表す曲線と、前記時間軸とに挟まれる領域の面積である第１の面積を算出し、さらに、前記原点から前記時間軸の目盛りの位置までを範囲とする前記指数関数を表す曲線と前記時間軸とに挟まれる領域の面積である第２の面積を算出し、前記第１の面積と前記第２の面積との比率に応じて前記時間軸の目盛りの値を算出し、算出された前記目盛りの値を付した前記時間軸を含む前記再生バーを前記表示手段に表示させる演算手段を備えることを特徴とするコンテンツ再生装置が提供される。この構成により、現在再生している時刻を起点とし、シーンスキップのための目盛りの値を起点からの距離に応じて加速度的に大きくすることにより、現在再生している付近では、細かい時刻の指定が可能であり、離れたシーンへのスキップにおいては、素早くそのシーンへ移動させることができる。なお、上述するマークは、後述するアイコンに相当するものである。
【００１２】
また、本発明によれば、コンテンツを再生して表示手段に表示するとともに、前記コンテンツの総再生時間を示す、前記表示手段に表示された時間軸上を前記コンテンツの再生時間の経過に伴って移動するマークであって、前記表示手段に表示されている前記コンテンツのシーンが再生される時刻が前記コンテンツの総再生時間のうちのどの時刻に相当するかを示す前記マーク及び前記時間軸を含む再生バーを前記表示手段に表示させるコンテンツ再生装置において、前記時間軸に所定の時間間隔で表示される目盛りを配置して前記時間軸を含む前記再生バーを表示する場合に、前記時間軸上の前記マークの位置を原点とし、前記原点から、前記コンテンツの再生開始時刻に相当する前記時間軸上の位置又は前記コンテンツの再生終了時刻に相当する前記時間軸上の位置までを範囲とする指数関数を表す曲線と、前記時間軸とに挟まれる領域の面積を算出し、算出された前記面積と、前記原点における再生時刻から前記コンテンツの再生開始時刻又は前記コンテンツの再生終了時刻までの時間差に対する、前記原点における再生時刻から所定の時刻までの時間差の割合とに基づいて、前記所定の時刻における目盛りを前記時間軸上に配置し、前記目盛りが配置された前記時間軸を含む前記再生バーを前記表示手段に表示させる演算手段を備えることを特徴とするコンテンツ再生装置が提供される。この構成により、現在再生している時刻を起点とし、シーンスキップのための目盛り間の幅を起点からの距離に応じて加速度的に小さくすることにより、現在再生している付近では、細かい時刻の指定が可能であり、離れたシーンへのスキップにおいては、素早くそのシーンへ移動させることができる。
【００１３】
また、本発明のコンテンツ再生装置において、前記演算手段が、前記マークを前記再生バーの中央に配置することは、本発明の好ましい態様である。この構成により、現在再生している時刻がコンテンツの再生開始地点（始点）に近い位置又は再生終了地点（終点）に近い位置にあろうと、シーンスキップモード時に細かいスキップが可能となる。
【発明の効果】
【００１４】
本発明のコンテンツ再生装置は、上記構成を有し、現在再生している時刻を起点とし、シーンスキップのための目盛りの値を起点からの距離に応じて加速度的に大きくすることにより、現在再生している付近では、細かい時刻の指定が可能であり、離れたシーンへのスキップにおいては、素早くそのシーンへ移動させることができる。また、本発明のコンテンツ再生装置は、入力装置としてリモコンを利用する場合、シーンスキップボタンの長押しでアイコンを移動させる際、目盛りが視覚的に一定であっても問題ない。これは、表示されている目盛りは加速度的に値（時間）が増えているため、一定のアイコンの移動であってもシーンスキップの時間は加速度的に進んでいる。また、本発明のコンテンツ再生装置は、長押しによるアイコン移動の速さから、所望の時刻への予想が可能となるため、誤って所望の時刻位置を越えてしまう可能性を抑えることができる効果を有する。また、シーンスキップモード時に、現在再生している時刻を示すアイコンの位置を中央に設定することにより、現在再生している時刻がコンテンツの始点に近い位置又は終点に近い位置にあろうと、シーンスキップモード時には細かいスキップが可能となる。
【発明を実施するための最良の形態】
【００１５】
以下に本発明の実施の形態について説明する。本発明の実施の形態における再生バーを図１に示す。図１において、図形枠１０１は、コンテンツの総再生時間を示す時間軸１１０に平行な線（以下、横線とも言う）１０３と、平行な線１０３に垂直な線（以下、縦線とも言う）１０４と、曲線１０５とに囲まれた枠であり、図形枠１０２は、時間軸１１０に平行な線（以下、横線とも言う）１０６と、平行な線１０６に垂直な線（以下、縦線とも言う）１０７と、曲線１０８とに囲まれた枠である。図形枠１０１、１０２は、現在の再生時間の高さを０（ゼロ）とし、現在再生している再生位置から離れるほど高さは高くなる。
【００１６】
アイコン１０９は、コンテンツの総再生時間のうちの現在の再生時刻（表示手段に表示されているコンテンツのシーンの再生時刻）を表すアイコンであって、アイコン１０９の位置は後述する指数関数を表す曲線の原点となる。アイコン１０９は、コンテンツの再生時間の経過に伴ってコンテンツの総再生時間を示す時間軸１１０上を移動する。時間軸１１０はコンテンツの総再生時間を示すものである。目盛り１１１はコンテンツの総再生時間を区切ったものである。この目盛り１１１は、再生バー（時間軸１１０）の幅に対して均等に割り振られているか、又は一定時間ごとに割り振られている。図１では、前者の方法で割り当てられている例を示している。また、目盛り１１１の値は、現在の再生時間を基準にして、当該基準から該当する目盛りまでの間の図形枠の面積（第２の面積に相当）に応じて決められている。
【００１７】
上述した図形枠１０１、１０２を実現するために、現在の再生時刻からコンテンツの始点（コンテンツの再生開始時刻の地点）又は終点（コンテンツの再生終了時刻の地点）までの時間と、図形枠１０１、１０２の高さの値とを任意に決めておく。原点からコンテンツの始点及びコンテンツの終点までの範囲において、後述する演算手段２０４は、原点を中心にグラフ（曲線１０５、１０８）を作成する。本発明の実施の形態では、このグラフの作成にあたり指数関数を用いた。この作成したグラフに基づいて図形枠１０１、１０２を作成して表示する。なお、作成された図形枠１０１、１０２は必ずしも表示する必要はない。
【００１８】
ここで、本発明の実施の形態に係るコンテンツ再生装置の構成の一例について図２を用いて説明する。図２において、コンテンツ再生装置２００は、入力手段２０１、データ処理手段２０２、再生手段２０３、演算手段２０４、表示手段２０５から構成されている。入力手段２０１は、リモコンやマウスなどを介して、再生命令、一時停止、シーンスキップなどのコマンドを受け付ける。データ処理手段２０２は、受信したコマンドの種類を判別し、コンテンツの再生制御を再生手段２０３に行わせる。再生手段２０３は、データ処理手段２０２の指示に基づいて、コンテンツデータを処理してコンテンツを再生するものである。
【００１９】
演算手段２０４は、現在の再生時刻に基づいて、再生バーの時間軸の目盛りの値又は目盛りの位置を求めるための適切な演算を行う。すなわち、演算手段２０４は、時間軸上のアイコンの位置を原点とし、原点から、コンテンツの再生開始時刻に相当する時間軸上の位置又はコンテンツの再生終了時刻に相当する時間軸上の位置までを範囲とする後述する指数関数を表す曲線と、時間軸とに挟まれる領域の面積である第１の面積（図形枠の面積）を算出し、さらに、原点から時間軸の目盛り（値を求めようとする目盛り）の位置までを範囲とする指数関数を表す曲線と時間軸とに挟まれる領域の面積である第２の面積を算出し、第１の面積と第２の面積との比率に応じて時間軸の目盛りの値を算出する。表示手段２０５は、演算手段２０４による演算結果及び再生手段２０３で処理されたデータを不図示の画面に表示するものである。
【００２０】
ここで、時間軸の目盛りの値の算出について図３を用いて説明する。図３に示すように、演算手段２０４は、例えば、時間軸３０３の目盛り「０（ゼロ）」の位置からコンテンツの再生終了時刻に相当する時間軸３０３上の位置（目盛り「５」に相当する位置）までを範囲とする指数関数を表す曲線３０２と時間軸３０３とに挟まれる領域の面積である第１の面積３００を算出する。さらに、演算手段２０４は、時間軸３０３の目盛り「０（ゼロ）」の位置から値を求めようとする目盛り「２」までを範囲とする指数関数を表す曲線３０２と時間軸３０３とに挟まれる領域の面積である第２の面積３０１を算出する。
【００２１】
なお、算出された第１の面積３００は、後述する式（３）の分母ａb−１−ｂ×ｌｏｇ（ａ）に相当し、算出された第２の面積３０１は、後述する式（３）の分子ａbx−１−ｂ×ｘ×ｌｏｇ（ａ）に相当する。演算手段２０４は、式（３）を用いて時間軸の目盛りの値（この場合では、目盛り「２」の相当する値）を算出する。
【００２２】
コンテンツ再生装置２００は、現在再生しているコンテンツが動画であれば表示手段２０５の表示画面の一部に図１に示すようにコンテンツを表示する。そして、コンテンツ再生装置２００は、再生開始時刻を始点、再生終了時刻を終点として、現在の再生時刻に相当する再生バーの時間軸１１０上の位置にアイコン１０９を表示画面に表示する。例えば、コンテンツの総再生時間が２時間であり、現在の再生時刻が４０分であればアイコン１０９の位置は再生バーの時間軸１１０を１：２に分けた位置となる。
【００２３】
また、コンテンツ再生装置２００の演算手段２０４は、現在の再生時刻に相当する時間軸１１０上の位置（原点）を基準とする所定の指数関数によるグラフを求め、コンテンツ再生装置２００の表示手段２０５は図形枠１０１、１０２を表示する。ここでの指数関数は、現在の再生時刻を表すアイコン１０９から遠く離れた始点及び終点における値が一番高く、現在の再生時刻に相当する時間軸１１０上の位置における値が０となる関数である。そして、再生バーの時間軸１１０に割り振られている目盛り１１１は等間隔に表示されており、それぞれの目盛り１１１に対して適切な時刻（値）が表示される。
【００２４】
ここでの指数関数は、現在の再生時刻に相当する位置（原点）の高さを０とし、コンテンツの始点と終点の位置の高さを共に１とする。この指数関数の底をａとし、現在の再生時刻に相当する位置（原点）の高さを０、コンテンツ再生の始点又は終点までの幅をｂとする。また、指数関数の傾きをcとする。その結果、指数関数は以下の式（１）で表すことができる。
【００２５】
【数１】
2009017486.tif 000003
【００２６】
ここで、ａ及びｂは任意の値である。この２つの値によりｃが求まる。例としてaを２とし、ｂを５とする。この２つの変数を当てはめた時の式（１）の結果は１となるためｃは１／３１となる。よって、図形枠１０１、１０２の高さを示す指数関数は以下の式（２）で表すことができる。
【００２７】
【数２】
2009017486.tif 000004
【００２８】
ただし、この例ではｘは０〜５の範囲である。現在の再生時刻に相当する位置をｘ＝０とするグラフを生成することで、高さを０とした図形枠が完成する。ここで示される指数関数の幅の縮尺を変えて適用することにより様々な指数関数のグラフができ、その一例として、図３に示すような本発明の実施の形態における指数関数のグラフが完成する。このグラフを実際の再生バーに適用することによって、図１に示すような本発明の実施の形態における再生バーとなる。
【００２９】
次に、再生バーの時間軸のそれぞれの目盛りの値を決める必要がある。現在の再生時刻に相当する位置を起点とする図形枠１０１、１０２の面積に対する比率によって目盛りの値を求めることができる。再生バーの時間軸の始点から終点の間は、コンテンツの総再生時間を表しており、目盛りの割り当て方法は、例えば２通りある。すなわち、再生バーの時間軸を等間隔で割り振った目盛りに対してそれぞれの再生時刻を求めていく方法と、等間隔の時間に基づいて適切な時間軸の位置に目盛りを設定していく方法とがある。
【００３０】
本発明の実施の形態では、再生バーの時間軸を等間隔で割り振った目盛りに対してそれぞれの値（再生時刻）を求めていく前者の方法について述べる。現在の再生時刻に相当する位置を起点とし、起点からコンテンツの始点又は終点までを１とした場合に、起点からその間のある地点までをｘとする。また、現在の再生時刻をｔ秒、コンテンツの総再生時間をＴ秒とする。現在の再生時刻からコンテンツの終点側に位置するｘに相当する地点でのコンテンツ再生時刻は、以下の式（３）で表すことができる。
【００３１】
なお、式（３）及び後述する式（４）の分母ａb−１−ｂ×ｌｏｇ（ａ）が第１の面積に相当し、式（３）及び後述する式（４）の分子ａbx−１−ｂ×ｘ×ｌｏｇ（ａ）が第２の面積に相当する。すなわち、第１の面積と第２の面積の比率は、（ａbx−１−ｂ×ｘ×ｌｏｇ（ａ））／（ａb−１−ｂ×ｌｏｇ（ａ））に相当する。
【００３２】
【数３】
2009017486.tif 000005
【００３３】
ただし、ｘは０〜１の範囲である。また、現在の再生時刻からコンテンツの始点側に位置するｘに相当する地点でのコンテンツ再生時刻は、以下の式（４）で表すことができる。
【００３４】
【数４】
2009017486.tif 000006
【００３５】
これらの変数に本発明の実施の形態で使用している指数関数、コンテンツの総再生時間、及び現在の再生時刻を当てはめた式（５）を以下に示す。Ｔ及びｔの単位を秒としたため、結果の単位は秒となる。現在の再生時刻からコンテンツ終点側に位置するｘに相当する地点の値は以下の式（５）により求めることができる。
【００３６】
【数５】
2009017486.tif 000007
【００３７】
また、現在の再生時刻からコンテンツ始点側に位置するｘに相当する地点の値は以下の式（６）により求めることができる。
【００３８】
【数６】
2009017486.tif 000008
【００３９】
ただし、それぞれの式（５）、（６）におけるｘは０〜１の範囲である。例えば、現在の再生時刻からコンテンツの始点、終点までの目盛りの数を、両端点を除いて４つとした場合、現在の再生時刻からコンテンツの始点又は終点までの時間軸を４等分に等間隔に分割する。すなわち、ｘの値は０．２、０．４、０．６、０．８の４通りとなり、上記の２つの式（５）、（６）にそれぞれ当てはめ、求めた結果がそれぞれ４等分に分割した地点（目盛り）での再生時刻である。このような割り当て結果により、図４に示すような目盛りの値の情報を割り当てたグラフが得られる。すなわち、図４に示すように、それぞれの目盛りにおける再生時刻が割り当てられる。
【００４０】
なお、等間隔の時間に基づいて適切な時間軸の位置に目盛りを設定していく場合、原点（現時点の時間軸上の位置）における再生時刻から例えばコンテンツの再生終了時刻までの時間差で、原点における再生時刻から所定（所望）の時刻までの時間差を割った比率と、上述の第１の面積とを掛け合わせることによって、原点における再生時刻から所定の時刻までを範囲とする指数関数を表す曲線と時間軸とに挟まれた領域の面積が算出される。これにより、時間軸上における所定の時刻の目盛りの位置が求められる。
【００４１】
ところで、本発明の実施の形態では、現在の再生時刻に相当する時間軸上の位置は、コンテンツの総再生時間に対して、相対的な位置に配置されている。そこで、シーンスキップモード時には、現在の再生時刻に相当する時間軸上の位置を再生バーの中央に設定し、中央での図形枠の高さを０に設定した図形枠を用い、その図形枠の面積比に基づいて、それぞれの再生バーの時間軸の目盛りに値を割り振る方法が考えられる。例えば、コンテンツの総再生時間が２時間であり、現在の再生時刻が４０分であるとする。
【００４２】
現在の再生時刻を表すアイコンは、再生バーの時間軸を１：２に分けた位置にある。しかし、シーンスキップモードでは、現在の再生時刻に相当する時間軸上の位置は中央に設定される。すなわち、アイコンが再生バーの中央に配置されるようにする。図形枠は先で述べた同じ指数関数を用いる。現在の再生時刻を中心に設定した再生バーを図５に示す。ここで割り振られる目盛りは、再生バーの時間軸に対して等間隔に配置されている。なお、上述した目盛りの値を表記する場合、秒数を除いた（秒数を切り捨てた）値を表記するようにしてもよい。すなわち、例えば、「１１分２３秒」の場合、「１１分」として表記するようにしてもよい。
【産業上の利用可能性】
【００４３】
本発明に係るコンテンツ再生装置は、現在再生している時刻を起点とし、シーンスキップのための目盛りの値を起点からの距離に応じて加速度的に大きくすることにより、現在再生している付近では、細かい時刻の指定が可能であり、離れたシーンへのスキップにおいては、素早くそのシーンへ移動させることができるため、再生されるコンテンツに対して行われるユーザの所望シーンへのスキップ処理に基づいて該当するシーンを再生するコンテンツ再生装置などに有用である。
【図面の簡単な説明】
【００４４】
【図１】本発明の実施の形態における再生バーの一例を示す図である。
【図２】本発明の実施の形態に係るコンテンツ再生装置の構成の一例を示す構成図である。
【図３】本発明の実施の形態における指数関数のグラフの一例を示す図である。
【図４】本発明の実施の形態における時間軸に再生時間が割り当てられたグラフの一例を示す図である。
【図５】本発明の実施の形態における再生バーの他の一例を示す図である。
【図６】従来の再生バーを示す図である。
【符号の説明】
【００４５】
１０１、１０２  図形枠
１０３、１０６  平行な線（横線）
１０４、１０７  垂直な線（縦線）
１０５、１０８、３０２  曲線
１０９、６０１  アイコン
１１０、６０２、３０３  時間軸
１１１、６０３  目盛り
２００  コンテンツ再生装置
２０１  入力手段
２０２  データ処理手段
２０３  再生手段
２０４  演算手段
２０５  表示手段
３００  第１の面積
３０１  第２の面積
【図１】
2009017486.tif 000009
【図２】
2009017486.tif 000010
【図３】
2009017486.tif 000011
【図４】
2009017486.tif 000012
【図５】
2009017486.tif 000013
【図６】
2009017486.tif 000014